(57)【要約】【課題】ナットの取り付け時およびナットの取り外し時に作業者がナットから指を離してもナットが落ちない構造としたボルトを提供する。【解決手段】ボルト１は、雄ねじ部２と、その雄ねじ部２の先端から突設した無ねじ部３とを具備している。無ねじ部３は、ナットの内径より小さい最大外径に持つ先端部分３ａと、先端部分３ａと無ねじ部３の基端の間の凹部３ｂとからなる。凹部３ｂは、ナットの厚みより大きい長さを有し且つ先端部分３ａの最大外径より小さい最小外径を有する。【効果】ナットの取り付け時に最初の螺合をする前に作業者がナットから指を離してしまった場合や、取り外し時に螺合が既に外れているのに作業者がナットから指を離してしまった場合に、外れたナットが無ねじ部に引っかかり、ナットが落ちることを防止できる。【選択図】  図１
2004263830.tif 000002
【特許請求の範囲】
【請求項１】
雄ねじ部の先端から無ねじ部を突設し、前記無ねじ部の先端部分の最大外径をナットの内径より小さい第１の外径とし、前記無ねじ部の先端部分と基端の間に前記雄ねじ部に螺合されるナットの厚みより大きいか又は少しだけ小さい長さを有し且つ前記第１の外径より小さい最小外径を有する凹部を形成したことを特徴とするボルト。
【請求項２】
構造物の上面または側面から雄ねじ部を突出する支柱であって、前記雄ねじ部の先端から無ねじ部を突設し、前記無ねじ部の先端部分の最大外径をナットの内径より小さい第１の外径とし、前記無ねじ部の先端部分と基端の間に前記雄ねじ部に螺合されるナットの厚み大きいか又は少しだけ小さい長さを有し且つ前記第１の外径より小さい最小外径を有する凹部を形成したことを特徴とする支柱。
【請求項３】
構造物の上面または側面から雄ねじ部を突出する支柱であって、雄ねじ部に螺合されるナットの厚み以上の無ねじ部を前記雄ねじ部の先端から突設したことを特徴とする支柱。
【請求項４】
構造物の上面から雄ねじ部を突出する支柱であって、前記雄ねじ部の先端から無ねじ部を突設したことを特徴とする支柱。
【発明の詳細な説明】
【０００１】
【発明の属する技術分野】
本発明は、ボルトおよび支柱に関し、さらに詳しくは、ナットの取り付け時およびナットの取り外し時に作業者がナットから指を離してもナットが落ちない構造としたボルトおよび支柱に関する。
【０００２】
【従来の技術】
従来、雄ねじ部の先端から折曲ピンを突設しておき、雄ねじ部にナットを取り付けた後でナットが外れないように折曲ピンを折り曲げるようにしたボルトが知られている（例えば、特許文献１参照。）。
【０００３】
【特許文献１】
特開２０００−２１３４２７号公報（図１，図６）
【０００４】
【発明が解決しようとする課題】
ボルトや支柱の雄ねじ部にナットを取り付ける時の作業手順は次のようになる。
（ａ）作業者は、親指と人指し指と中指とでナットを摘んで、雄ねじ部の先端に当てる。
（ｂ）指をナットから離さずに指先または手首を捩ってナットを半回転させ、雄ねじ部に最初の半回転分くらいの螺合をさせる。
（ｃ）ナットから指を離して指先または手首の捩りを戻し、再びナットを摘む。
（ｄ）指をナットから離さずに指先または手首を捩ってナットを半回転させ、雄ねじ部に次の半回転分くらいの螺合をさせる。
（ｅ）上記の（ｃ）（ｄ）を数回繰り返して、雄ねじ部にナットを十分螺合させた後、スパナで本格的に螺合させる。
【０００５】
ボルトや支柱の雄ねじ部からナットを取り外す時の作業手順は次のようになる。
（Ａ）スパナでナットを十分に緩める。
（Ｂ）作業者は、親指と人指し指と中指とでナットを摘んで回転させ、雄ねじ部の先端近くまでナットを戻す。
（Ｃ）雄ねじ部の先端近くまでナットを戻したら、指をナットから離さずに指先または手首を捩ってナットを少しだけ緩め、ナットの螺合が残っているか否かを指先で判断する。
（Ｄ）ナットの螺合が残っていれば、ナットから指を離して指先または手首の捩りを戻し、再びナットを摘む。
（Ｅ）指をナットから離さずに指先または手首を捩ってナットを少しだけ緩め、ナットの螺合が残っているか否かを指先で判断する。
（Ｆ）上記の（Ｄ）（Ｅ）を繰り返して、ナットの螺合がなくなれば、指で摘んだままナットを回収箱に運び、ナットから指を離してナットを回収箱に入れる。
【０００６】
さて、ナットを取り付ける時の作業手順では、上記（ｂ）の最初の螺合がうまくゆかず、上記（ｃ）で指を離した時にナットを落してしまうことが少なくない。
また、ナットを取り外す時の作業手順では、上記（Ｃ）または（Ｅ）で螺合がなくなっているのに残っていると誤って判断し、上記（Ｄ）で指を離した時にナットを落してしまうことも少なくない。
【０００７】
これに対して、上記従来技術のボルトでは、雄ねじ部が構造物の上面から突出している場合、落ちそうになったナットが折曲ピンに引っかかり、落とさずに済む。
しかし、雄ねじ部が構造物の側面から突出している場合、ナットが折曲ピンに引っかかって落とさずに済むこともあるが、折曲ピンが細いため（折り曲げる必要があるため細い）、螺合が外れた勢いでナットが滑り落ちてしまう可能性が高い問題点がある。
そこで、本発明の目的は、ナットの取り付け時およびナットの取り外し時に作業者がナットから指を離してもナットが落ちない構造としたボルトおよび支柱を提供することにある。
【０００８】
【課題を解決するための手段】
第１の観点では、本発明は、雄ねじ部の先端から無ねじ部を突設し、前記無ねじ部の先端部分の最大外径をナットの内径より小さい第１の外径とし、前記無ねじ部の先端部分と基端の間に前記雄ねじ部に螺合されるナットの厚みより大きいか又は少しだけ小さい長さを有し且つ前記第１の外径より小さい最小外径部分を有する凹部を形成したことを特徴とするボルトを提供する。
上記第１の観点によるボルトでは、雄ねじ部が構造物の上面から突出している場合、螺合が外れたナットが無ねじ部に引っかかり、落とさずに済む。
また、雄ねじ部が構造物の側面から突出している場合、螺合が外れたナットが無ねじ部の先端部分と凹部の外径差で止まるため、勢いでナットが滑り落ちてしまうことがなく、ナットを落とさずに済む。
なお、凹部の長さをナットの厚みより大きくすると、ナットが凹部に完全に載るため確実にナットを落とさずに済むし、凹部に載ったナットを取り出すことも容易である。また、凹部の長さをナットの厚みより少しだけ小さくすると、ナットの大部分が凹部に載るためナットを落とさずに済むし、凹部に不完全に載っているナットを容易に取り外すことが出来る。
【０００９】
第２の観点では、本発明は、構造物の上面または側面から雄ねじ部を突出する支柱であって、前記雄ねじ部の先端から無ねじ部を突設し、前記無ねじ部の先端部分の最大外径をナットの内径より小さい第１の外径とし、前記無ねじ部の先端部分と基端の間に前記雄ねじ部に螺合されるナットの厚みより大きいか又は少しだけ小さい長さを有し且つ前記第１の外径より小さい最小外径を有する凹部を形成したことを特徴とする支柱を提供する。
上記第２の観点による支柱では、雄ねじ部が構造物の上面から突出している場合、螺合が外れたナットが無ねじ部に引っかかり、落とさずに済む。
また、雄ねじ部が構造物の側面から突出している場合、螺合が外れたナットが無ねじ部の先端部分と凹部の外径差で止まるため、勢いでナットが滑り落ちてしまうことがなく、ナットを落とさずに済む。
なお、凹部の長さをナットの厚みより大きくすると、ナットが凹部に完全に載るため確実にナットを落とさずに済むし、凹部に載ったナットを取り出すことも容易である。また、凹部の長さをナットの厚みより少しだけ小さくすると、ナットの大部分が凹部に載るためナットを落とさずに済むし、凹部に不完全に載っているナットを容易に取り外すことが出来る。
【００１０】
第３の観点では、本発明は、構造物の上面または側面から雄ねじ部を突出する支柱であって、雄ねじ部に螺合されるナットの厚み以上の無ねじ部を前記雄ねじ部の先端から突設したことを特徴とする支柱を提供する。
上記第３の観点による支柱では、雄ねじ部が構造物の上面から突出している場合、螺合が外れたナットが無ねじ部に引っかかり、落とさずに済む。
また、雄ねじ部が構造物の側面から突出している場合、螺合が外れたナットが無ねじ部に完全に載るため、ナットが滑り落ちてしまうことがなく、ナットを落とさずに済む。
【００１１】
第４の観点では、本発明は、構造物の上面から雄ねじ部を突出する支柱であって、前記雄ねじ部の先端から無ねじ部を突設したことを特徴とする支柱を提供する。
上記第４の観点による支柱では、螺合が外れたナットが無ねじ部に引っかかり、落とさずに済む。
【００１２】
【発明の実施の形態】
以下、図に示す実施形態により本発明をさらに詳細に説明する。なお、これにより本発明が限定されるものではない。
【００１３】
−第１の実施形態−
図１は、第１の実施形態にかかるボルト１を示す側面図である。
このボルト１は、雄ねじ部２と、その雄ねじ部２の先端から突設した無ねじ部３とを具備している。
無ねじ部３は、ナット（図２のＮ）の内径より小さい最大外径を持つ先端部分３ａと、先端部分３ａと無ねじ部３の基端の間の凹部３ｂとからなる。
凹部３ｂは、ナット（図２のＮ）の厚みより大きい長さを有し且つ先端部分３ａの最大外径より小さい最小外径を有する。
【００１４】
図２は、ボルト１の使用状態を示す一部破断側面図である。
ボルト１は、部品Ｐ１，Ｐ２の貫通穴ＴＨに通され、ナットＮを雄ねじ部２に螺合することにより、部品Ｐ１，部品Ｐ２を固定している。
【００１５】
図３は、螺合していないナットＮが無ねじ部３の凹部３ｂに引っかかっている状態を示す説明図である。
ナットＮの取り付け時に最初の螺合をしないうちにナットＮから作業者が指を離してしまった場合や、ナットＮの取り外し時に螺合が既に外れたのに作業者がナットＮから指を離してしまった場合に、外れたナットＮが無ねじ部３の凹部３ｂに引っかかる。これにより、ナットＮの落下を防止できる。
【００１６】
上記ボルト１を次のように変形してもよい。
（１）凹部３ｂの長さをナットＮの厚みより少しだけ小さくしてもよい。
（２）凹部３ｂの基端で滑らかに拡径して雄ねじ部２につながっているように、凹部３ｂの先端側でも滑らかに拡径して先端部分３ａにつなげてもよい。
（３）凹部３ｂの先端側で段差を持って先端部分３ａにつながっているように、凹部３ｂの基端でも段差を持って雄ねじ部２につなげてもよい。
【００１７】
−第２の実施形態−
図４は、第２の実施形態にかかる支柱１１を示す側面図である。
この支柱１１は、構造物の上面または側面から突出する雄ねじ部１２と、その雄ねじ部１２の先端から突設した無ねじ部１３と、支柱本体１５と、アンカー部１６とを具備している。
無ねじ部１３は、ナット（図５のＮ）の内径より小さい最大外径を持つ先端部分１３ａと、先端部分１３ａと無ねじ部１３の基端の間の凹部１３ｂとからなる。
凹部１３ｂは、ナット（図５のＮ）の厚みより大きい長さを有し且つ先端部分１３ａの最大外径より小さい最小外径を有する。
【００１８】
図５は、支柱１１の使用状態を示す一部破断側面図である。
支柱１１のアンカー部１６は、構造物の壁面Ｗに埋設されている。支柱１１の雄ねじ部１２は、側板ＳＰの貫通穴ＴＨに通され、ナットＮを雄ねじ部１２に螺合することにより、側板ＳＰを固定している。これにより、壁面Ｗと側板ＳＰの間に、部品Ｐが挟持されている。
【００１９】
図６は、螺合していないナットＮが無ねじ部１３の凹部１３ｂに引っかかっている状態を示す説明図である。
ナットＮの取り付け時に最初の螺合をしないうちにナットＮから作業者が指を離してしまった場合や、ナットＮの取り外し時に螺合が既に外れたのに作業者がナットＮから指を離してしまった場合に、外れたナットＮが無ねじ部１３の凹部１３ｂに引っかかる。これにより、ナットＮの落下を防止できる。
【００２０】
上記支柱１１を次のように変形してもよい。
（１）凹部１３ｂの長さをナットＮの厚みより少しだけ小さくしてもよい。
（２）凹部１３ｂの基端で滑らかに拡径して雄ねじ部１２につながっているように、凹部１３ｂの先端側でも滑らかに拡径して先端部分１３ａにつなげてもよい。
（３）凹部１３ｂの先端側で段差を持って先端部分１３ａにつながっているように、凹部１３ｂの基端でも段差を持って雄ねじ部１２につなげてもよい。
【００２１】
−第３の実施形態−
図７は、第３の実施形態にかかる支柱２１を示す側面図である。
この支柱２１は、構造物の上面から突出する雄ねじ部２２と、その雄ねじ部２２の先端から突設した無ねじ部２３と、支柱本体２５と、アンカー部２６とを具備している。
無ねじ部２３は、ナット（図８のＮ）の厚みより大きい長さを有し且つナット（図８のＮ）の内径より小さい最大外径を持っている。
【００２２】
図８は、支柱２１の使用状態を示す一部破断側面図である。
支柱２１のアンカー部２６は、構造物の底板ＢＰに埋設されている。支柱２１の雄ねじ部２２は、上板ＵＰの貫通穴ＴＨに通され、ナットＮを雄ねじ部２２に螺合することにより、上板ＵＰを固定している。これにより、底板ＢＰと上板ＵＰの間に、部品Ｐが挟持されている。
【００２３】
図９は、螺合していないナットＮが無ねじ部２３に引っかかっている状態を示す説明図である。
ナットＮの取り付け時に最初の螺合をしないうちにナットＮから作業者が指を離してしまった場合や、ナットＮの取り外し時に螺合が既に外れたのに作業者がナットＮから指を離してしまった場合に、外れたナットＮが無ねじ部２３に引っかかる。これにより、ナットＮの落下を防止できる。
【００２４】
上記支柱２１を次のように変形してもよい。
（１）無ねじ部２３の長さをナットＮの厚みより少しだけ小さくしてもよい。
（２）無ねじ部２３の基端で滑らかに拡径して雄ねじ部２２につながっているが、段差を持って雄ねじ部２２につなげてもよい。
【００２５】
【発明の効果】
本発明のボルトおよび支柱によれば、ナットの取り付け時に最初の螺合をする前に作業者がナットから指を離してしまった場合や、取り外し時に螺合が既に外れているのに作業者がナットから指を離してしまった場合に、外れたナットが無ねじ部に引っかかり、ナットが落ちることを防止できる。
【図面の簡単な説明】
【図１】第１の実施形態にかかるボルトを示す側面図である。
【図２】第１の実施形態にかかるボルトの使用状態を示す一部破断側面図である。
【図３】第１の実施形態にかかるボルトがナットの落下を防いだ状態を示す側面図である。
【図４】第２の実施形態にかかる支柱を示す側面図である。
【図５】第２の実施形態にかかる支柱の使用状態を示す一部破断側面図である。
【図６】第２の実施形態にかかる支柱がナットの落下を防いだ状態を示す側面図である。
【図７】第３の実施形態にかかる支柱を示す側面図である。
【図８】第３の実施形態にかかる支柱の使用状態を示す一部破断側面図である。
【図９】第３の実施形態にかかる支柱がナットの落下を防いだ状態を示す側面図である。
【符号の説明】
１              ボルト
２              雄ねじ部
３              無ねじ部
３ａ            先端部分
３ｂ            凹部
１１，２１      支柱
１２，２２      雄ねじ部
１３，２３      無ねじ部
１３ａ          先端部分
１３ｂ          凹部
Ｎ              ナット
【図１】
2004263830.tif 000003
【図２】
2004263830.tif 000004
【図３】
2004263830.tif 000005
【図４】
2004263830.tif 000006
【図５】
2004263830.tif 000007
【図６】
2004263830.tif 000008
【図７】
2004263830.tif 000009
【図８】
2004263830.tif 000010
【図９】
2004263830.tif 000011
【手続補正書】
【提出日】平成15年3月6日(2003.3.6)
【手続補正１】
【補正対象書類名】図面
【補正対象項目名】図６
【補正方法】変更
【補正の内容】
【図６】
2004263830.tif 000012